(57)【特許請求の範囲】
【請求項１】
インストルメントパネルに格納されるメーターの取付構造において、
前記メーターを前記インストルメントパネルに装入する際に当該メーターを挿通させる装入用開口部と、前記インストルメントパネルに装入された前記メーターを臨むように開口した視認用開口部とを、前記インストルメントパネルに個々に設け、
前記装入用開口部は、前記インストルメントパネルを構成する面のうち、エンジンルーム側から車室側に向けてなだらかな傾斜を有した面に設けられると共に、前記メーターの装入後にサービスホールカバーにより塞がれることを特徴とするメーターの取付構造。
【請求項２】
前記視認用開口部にメータークラスタを前記インストルメントパネルと一体で形成したことを特徴とする請求項１に記載のメーターの取付構造。
【請求項３】
前記装入用開口部に装着されるサービスホールカバーの上面に、凹部を形成したことを特徴とする請求項１又は２に記載のメーターの取付構造。
【発明の詳細な説明】
【０００１】
【発明の属する技術分野】
本発明は、自動車のインストルメントパネルに装着されるメーターの取付構造に関する。
【０００２】
【従来の技術】
一般に、自動車のインストルメントパネル３２には、図６及び図７に示すように、メーター３１を装入するための開口部３３が形成されており、該開口部からメーター３１を挿通して、メーター３１がインストルメントパネル３２に組付けられていた。また、インストルメントパネル３２には、開口部３３とメーター３１との間隙を塞ぐメータークラスタ３５が取り付けられている。このようなメーター３１には、図６及び図７に示すように、当該メーター３１の両側（車体幅方向の両側）に取付用フランジ３６が配設されており、各々の取付用フランジ３６を、インストルメントパネル３２に形成された対応するメーター取付座部３７に固定するようにして当該メーター３１をインストルメントパネル３２に取り付けることが従来から行われていた。
【０００３】
ところで、上記メータークラスタ３５は運転者の正面に配置されるため、そのデザインが運転席周りの雰囲気を大きく左右する。しかしながら、従来のメーター３１の取付構造では、メーター３１を、インストルメントパネル３２の外側（車室側）から開口部を挿通させて当該インストルメントパネル３２の内側に組付ける構造上、開口部３３を、メーター３１の挿通が可能な大きさに設定する必要がある。これにより、メーター３１と開口部３３との間隙を塞ぐメータークラスタ３５が大型化して、当該メータークラスタ３５のデザインの自由度が制約されていた。
【０００４】
【発明が解決しようとする課題】
そこで本発明は、上記事情に鑑みてなされたもので、メータークラスタを小型化することで当該メータークラスタのデザインの自由度を拡大し、運転席周りの美観を向上させることができるメーターの取付構造を提供することを目的とする。
【０００５】
【課題を解決するための手段】
上記目的を達成するために、本発明のうち請求項１に記載の発明は、インストルメントパネルに格納されるメーターの取付構造において、メーターをインストルメントパネルに装入する際に当該メーターを挿通させる装入用開口部と、インストルメントパネルに装入されたメーターを臨むように開口した視認用開口部とを、インストルメントパネルに個々に設け、装入用開口部は、インストルメントパネルを構成する面のうち、エンジンルーム側から車室側に向けてなだらかな傾斜を有した面に設けられると共に、メーターの装入後にサービスホールカバーにより塞がれることを特徴とする。
【０００６】
このように構成することで、メーターは、インストルメントパネルにおけるエンジンルーム側から車室側に向けてなだらかな傾斜を有した面に形成された装入用開口部から、インストルメントパネルの内部に装入される。そして、装入用開口部は、メーターの装入後にサービスホールカバーにより塞がれる。また、装入されたメーターは、視認用開口部により視認することができる。
【０００７】
また、上記目的を達成するために、本発明のうち請求項２に記載の発明は、請求項１に記載のメーターの取付構造において、視認用開口部にメータークラスタをインストルメントパネルと一体で形成したことを特徴とする。
【０００８】
このように構成することで、部品点数が減少し、製造コストを削減することができると共に組付け作業を合理化することができる。
【０００９】
また、上記目的を達成するために、本発明のうち請求項３に記載の発明は、請求項１又は２に記載のメーターの取付構造において、装入用開口部に装着されるサービスホールカバーの上面に、凹部を形成したことを特徴とする。
【００１０】
このように構成することで、凹部に小物を収納することができ、サービスホールカバーに小物入れとしての機能を付与することができる。
【００１１】
【発明の実施の形態】
本発明の一実施の形態のメーターの取付構造を図１ないし図５に基づいて説明する。まず、本実施の形態のメーターの取付構造の概略を説明する。図１に示すように、本実施の形態のメーター１の取付構造は、インストルメントパネル２に装入されるメーター１の取付構造であって、メーター１をインストルメントパネル２に装入する際に当該メーター１が挿通する装入用開口部３と、インストルメントパネル２に装入されたメーター１が臨む視認用開口部４とを、インストルメントパネル２に個々に設けた構造になっている。これにより、図１及び図２に示すように、メーター１と視認用開口部４との間隙を塞ぐメータークラスタ５の小型化が可能となり、当該メータークラスタ５のデザインの自由度が拡大し、運転席周りの美観を向上させることができる構造になっている。
【００１２】
また、図１及び図３に示すように、本実施の形態のメーター１の取付構造は、上記メーター１を、断面が略Ｌの字状に形成されたメーター取付ブラケット６を介してインストルメントパネル２に装着したことにより、メーター１を組付ける際に当該メーター１をメーター取付ブラケット６に載置して位置決め及びメーター固定用のスクリュー１４を締付することが可能となり、組付け作業の効率を向上させることができる構造になっている。また、メーター取付ブラケット６を車体（図示せず）の幅方向に延設されたステアリングサポートメンバ７に固定したことにより、メーター１の取付構造の剛性が向上し、走行時やエンジンの振動からメーター１を保護する構造になっている。
【００１３】
次に、本実施の形態のメーター１の取付構造の詳細を説明する。まず、本実施の形態のメーター１の取付構造に係るインストルメントパネル２の詳細を説明する。インストルメントパネル２は、エンジンルーム（図示せず）と車室とを仕切るダッシュパネルの車室内側に設置されており、図１及び図２に示すように、エアコンの操作部８及び吹き出し口９、車室内温度やエアコンの設定内容等を表示する液晶表示画面１０、速度計や回転計を備えたメーター１等が配設されている。
【００１４】
また、図１ないし図３に示すように、本インストルメントパネル２は、ドライバーズシート(図示せず)側の前方部分が、エンジンルーム側から車室側（図３中の左側から右側）に向けてなだらかな傾斜を有した面で構成されており、このドライバーズシート側の前方部分にメーター１が装入される構造になっている。そして、本実施の形態のメーター１の取付構造に係るインストルメントパネル２には、メーター１を脱着する際に当該メーター１を挿通させるための装入用開口部３が形成されている。なお、図１ないし図３に示すように、装入用開口部３は、メーター１の装入後にサービスホールカバー１１により塞がれる構造になっている。また、図５に示すように、サービスホールカバー１１に凹部１２を形成し、この凹部１２を小物入れとして利用するように構成してもよい。
【００１５】
また、図１及び図３に示すように、本インストルメントパネル２には、当該インストルメントパネル２に装入されたメーター１の表示部１ａが臨む視認用開口部４が形成されており、該視認用開口部４により運転者はメーター１の表示を視認することができる構造になっている。また、視認用開口部４には、メータークラスタ５が装着されており、当該視認用開口部４の周縁部とインストルメントパネル２に装入されたメーター１との間隙を塞ぐことにより、運転席周りの美観を向上させる構造になっている。なお、本実施の形態のメーター１の収納構造では、必ずしも上記メータークラスタ５をインストルメントパネル２と別体で形成する必要がなく、メータークラスタ５をインストルメントパネル２と一体で形成してもよい。
【００１６】
また、図３に示すように、本インストルメントパネル２には、後に詳述するメーター取付ブラケット６を固定するための取付用ボス１３が配設されており、本実施の形態のメーター１の取付構造は、メーター取付ブラケット６を貫通させたスクリュー１５を取付用ボス１３のボス孔１３ａに螺合して締付することにより、当該メーター取付ブラケット６がインストルメントパネル２に固定される構造になっている。
【００１７】
次に、メーター取付ブラケット６の詳細を説明する。図１、図３及び図４に示すように、本メーター取付ブラケット６は、断面が略Ｌの字状に形成された板金製の部材で構成されており、車体の上下方向に立設された第１の片６ａと、該第１の片６ａの基部から車室側（図３中の左側から右側）に向けて延出した第２の片６ｂとを有している。また、このメーター取付ブラケット６には、メーター１の取付用フランジ１７（図１参照）に配設した取付孔１７ａに整合させて配置した複数（本実施例では４個）のメーター取付用孔１８が設けられており、各々の取付孔１７ａを対応するメーター取付用孔１８に整合させ、メーター取付用孔１８に螺合したスクリュー１４を締め付けることによりメーター１をメーター取付ブラケット６に固定する構造になっている。
【００１８】
また、図１及び図４に示すように、本メーター取付ブラケット６は、インストルメントパネル２に配設した取付用ボス１３のボス孔１３ａ（図３参照）に整合させた複数（本実施例では第１の片６ａに１個と第２の片６ｂに３個との合計４個）のブラケット取付用孔１９を具備しており、これらブラケット取付用孔１９の各々を対応する取付用ボス１３のボス孔１３ａに位置合わせし、それぞれのボス孔１３ａにスクリュー１５を螺合し締付することにより、メーター取付ブラケット６をインストルメントパネル２に固定する構造になっている。
【００１９】
また、図１及び図４に示すように、本メーター取付ブラケット６には、第１の片６ａの幅方向の略中央で、且つ基部（折り曲げ部）の近傍に取付座２０が形成されており、該取付座２０には、当該取付座２０を貫通するブラケット固定用孔２０ａが設けられている。また、図２及び図３に示すように、インストルメントパネル２の内側には、車体の幅方向に延出したステアリングサポートメンバ７が設けられており、該ステアリングサポートメンバ７には、上記取付座２０のブラケット固定用孔２０ａに整合して配置された締結孔２１ａを有するブラケット締結部材２１が配設されている。そして、本実施の形態のメーター１の取付構造は、図３に示すように、取付座２０のブラケット固定用孔２０ａを挿通させたスクリュー１６をブラケット締結部材２１の締結孔２１ａに螺合して締付して、取付座２０をブラケット締結部材２１に締結させることにより、メーター取付ブラケット６の取付剛性を向上させる構造になっている。
【００２０】
なお、図１及び図４に示すように、本メーター取付ブラケット６にはプレス成形することで形成された複数の連続する面で構成されており、これにより部材の断面係数が向上し、当該メーター取付ブラケット６の剛性を高める構造になっている。
【００２１】
このような構成において、本実施の形態のメーター１の取付構造の作用を説明する。メーター１をインストルメントパネル２に組付ける際には、まず、メーター取付ブラケット６を装入用開口部３からインストルメントパネル２の内部に挿入し、メーター取付ブラケット６の各々のブラケット取付用孔１９を、対応するインストルメントパネル２の取付用ボス１３のボス孔１３ａに位置合わせする。そして、図３に示すように、取付用ボス１３のボス孔１３ａにスクリュー１５を螺合し締付することで、メーター取付ブラケット６をインストルメントパネル２に固定する。また、メーター取付ブラケット６をインストルメントパネル２に固定した後、ブラケット固定用孔２０ａを挿通させたスクリュー１６を締結孔２１ａに螺合し締付することにより、メーター取付ブラケット６の第１の片６ａに形成された取付座２０をステアリングサポートメンバ７に設けられたブラケット締結部材２１に締結させる。
【００２２】
次に、メーター１を、装入用開口部３からインストルメントパネル２の内部に挿入し、インストルメントパネル２に取り付けられたメーター取付ブラケット６の第２の片６ｂに載置する。そして、メーター１をメーター取付ブラケット６の第２の片６ｂに載置した状態で、メーター１の取付用フランジ１７に配設された各々の取付孔１７ａを対応するメーター取付ブラケット６のメーター取付用孔１８に位置合わせして、該メーター取付用孔１８にスクリュー１４を螺合し締付することによりメーター１をメーター取付ブラケット６に固定する。これにより、メーター１は所要位置に設置され、図２及び図３に示すように、この状態で表示部１ａが視認用開口部４から臨むことになる。
【００２３】
次に、装入用開口部３にサービスホールカバー１１を取り付けると共に、視認用開口部４にメータークラスタ５を設置する。なお、前述したように、メータークラスタ５をインストルメントパネル２と一体で形成した場合には、単体部品としてのメータークラスタ５は不要となる。
【００２４】
したがって、本実施の形態のメーター１の取付構造は、メーター１をインストルメントパネル２に装入する際に当該メーター１を挿通させる装入用開口部３と、インストルメントパネル２に装入されたメーター１の表示部１ａを臨む視認用開口部４とを、インストルメントパネル２に個々に設けたことにより、メーター１本体の大きさよりも小型のメータークラスタ５を採用することが可能となり、メータークラスタ５周りのデザインの自由度が拡大され、運転席周りの美観を向上させることができる。
【００２５】
また、本実施の形態のメーター１の取付構造は、メーター１を、車体上下方向に立設された第１の片６ａと、該第１の片６ａの基部から車両後方（図３中の右方向）に向けて延出した第２の片６ｂとからなる断面が略Ｌの字状のメーター取付ブラケット６を介してインストルメントパネル２に装着したことにより、メーター１を組付ける際には、当該メーター１をメーター取付ブラケット６（第２の片６ｂ）に載置した状態で、位置決め及びメーター固定用のスクリュー１４を締付することができ、作業者の負担を軽減して組付け作業の効率を向上させることができる。
【００２６】
また、メーター取付ブラケット６の第１の片６ａの取付座２０を、車体の幅方向に延設されたステアリングサポートメンバ７に固定したことにより、メーター１の取付構造の剛性が向上し、走行時やエンジンの振動からメーター１を保護することができる。
【００２７】
また、インストルメントパネル２に形成された装入用開口部３を塞ぐためのサービスホールカバー１１に、凹部１２（図５参照）を形成することにより、当該サービスホールカバー１１を単にカバーとしてでなく、小物入れとしての機能を持たせることができる。
【００２８】
また、インストルメントパネル２に装入されたメーター１と視認用開口部４との間隙を塞ぐメータークラスタ５を、インストルメントパネル２と一体で形成することにより、単体でのメータークラスタ５が不要となり、部品点数及び組付け工数が削減され、製造の合理化を図ることができる。
【００２９】
【発明の効果】
本発明のメーターの取付構造によれば、インストルメントパネルに装入されるメーターの取付構造において、メーターをインストルメントパネルに装入する際に当該メーターを挿通させる装入用開口部と、インストルメントパネルに装入されたメーターの表示部を臨む視認用開口部とを、インストルメントパネルに個々に設けたので、メーター本体の大きさよりも小型のメータークラスタを採用することが可能となり、メータークラスタ周りのデザインの自由度が拡大され、運転席周りの美観を向上させることができる。また、装入用開口部を、水平面に近いなだらかな傾斜面に設けたので、部品の落下等を気にせずに、サービスホールカバーやメーターを上下方向へ移動させて脱着することが可能になり、組付け作業を効率化することができる。
【００３０】
また、本発明のメーターの取付構造によれば、メーターを、車体上下方向に立設された第１の片と、該第１の片の基部から車両後方に向けて延出した第２の片とからなるメーター取付ブラケットを介してインストルメントパネルに装着したので、メーターを組付ける際には、当該メーターをメーター取付ブラケットの第２の片に載置した状態で、位置決め及びメーター固定用のスクリューを締付することができ、作業者の負担を軽減して組付け作業の効率を向上させることができる。
【００３１】
また、本発明のメーターの取付構造によれば、メーター取付ブラケットの第１の片に形成した取付座を、車体の幅方向に延設されたステアリングサポートメンバに固定したので、メーターの取付構造の剛性が大幅に向上し、走行時やエンジンの振動からメーターを保護することができる。
【００３２】
また、本発明のメーターの取付構造によれば、インストルメントパネルに形成された装入用開口部を塞ぐためのサービスホールカバーに、凹部を形成したので、当該サービスホールカバーを単にカバーとしてだけでなく、小物入れとしての機能を持たせることができる。
【００３３】
また、本発明のメーターの取付構造によれば、インストルメントパネルに装入されたメーターと視認用開口部との間隙を塞ぐメータークラスタを、インストルメントパネルと一体で形成したので、単体でのメータークラスタが不要となり、部品点数及び組付け工数が削減され、製造の合理化を図ることができる。
【図面の簡単な説明】
【図１】  本実施の形態のメーターの取付構造の説明図で、本メーターの取付構造の各構成部品を示す斜視図である。
【図２】  本実施の形態のメーターの取付構造の説明図で、特に、インストルメントパネルに、メーター、サービスホールカバー及びメータークラスタが取り付けられた状態を示す図である。
【図３】  本実施の形態のメーターの取付構造の説明図で、特に、図２におけるＡ−Ａ断面図である。
【図４】  本実施の形態のメーターの取付構造に係るメーター取付ブラケットの斜視図である。
【図５】  サービスホールカバーの他の実施例を示す斜視図で、特に、小物入れとしての凹部を備えたサービスホールカバーを示す図である。
【図６】  従来のメーターの取付構造の説明図で、従来のメーターの取付構造の各構成部品を示す斜視図である。
【図７】  従来のメーターの取付構造を示すための断面図である。
【符号の説明】
１  メーター、２  インストルメントパネル、３  装入用開口部、４  視認用開口部、５  メータークラスタ、６  メーター取付ブラケット、７  ステアリングサポートメンバ、１１  サービスホールカバー、１２  凹部、２０  取付座
【図１】
0003994252.tif 000002
【図２】
0003994252.tif 000003
【図３】
0003994252.tif 000004
【図４】
0003994252.tif 000005
【図５】
0003994252.tif 000006
【図６】
0003994252.tif 000007
【図７】
0003994252.tif 000008